Podtech/llm-jp-corpus-v4-ja_patent huggingface dataset:
(57)【要約】【課題】  従来、ブラシャーには、保冷・保温機能がついておらず、温度調節をすることが簡単にできなかった。これは、ブラジャーのようなスペースに限りがある場所に収納できる形は少なく、また、市販されている保冷剤、または保温剤では、過冷、または過温によって人体に不快感を与えるおそれがあるためである。【解決手段】  身体が急激な温度変化を感じることを防ぐために、ハートなどの形状を施し袋状にしたカバー本体（１）に、挿入部（３）を設け、その内部に保温、または保冷パッド（２）を設けたことを特徴とする。【選択図】図１
2013100627.tif 000002
【特許請求の範囲】
【請求項１】
ハートなどの形状を施した袋状のカバー本体（１）に挿入部（３）を設け、カバー本体（１）の内部に保温、または保冷パッド（２）を設け、カバー本体（１）に身体が急激な温度変化を感じることを防ぐためのカバー本体（１）を設けたことを特徴とする下着に挟む保冷・保温パッド。
【発明の詳細な説明】
【技術分野】
【０００１】  この発明は、保冷剤、または保温剤を専用のカバーで包んだものを下着に挟む保冷・保温パッドに関するものである。
【背景技術】
【０００２】  従来、ブラジャーには、保冷・保温機能がついておらず、温度調節をすることが簡単にできなかった。
とくに近年夏場に最高気温が３０℃以上の真夏日が何日間も続き、屋外のみならず屋内においても熱中症になりやすく、これによる死亡事故も頻出している。
逆に冬は軒並み最低気温を更新しており、ますます体温調節が必要で、さらに環境への配慮から、電気を使わず簡単に温度調節できるものが必要とされている。
そのなかでも、熱中症対策目的として、人体を冷やすための技術がこれまで種々提案されている。
【先行技術文献】
【特許文献】
【０００３】
【特許文献１】  特開平６−２５７００３号公報
【特許文献２】  特開平８−２３８２６９号公報
【特許文献３】  特開２００９−１３８２８５号公報
【発明の概要】
【発明が解決しようとする課題】
【０００４】  特許文献１の提案技術では、冷熱源の容積を大きくせずに保冷時間を長くするためには、より融点の低い冷熱源を用いる必要がある。
ところが、この場合、人体面側の最外層の表面温度を２０℃程度に保持するためには、冷熱源から人体までの間に多くの温度設定層を形成しなければならず衣服の構造が複雑化する。
また、特許文献２の提案技術は、融点の低い不凍液が人体と接触するため、過冷によって人体に不快感を与えるおそれがある。
さらに、特許文献３の提案技術は、ブラジャーのようなスペースに限りがある場所に収納できる形ではない。
本発明は、以上のような欠点をなくすためになされたものである。
【課題を解決するための手段】
【０００５】  本発明はこのような従来の問題に鑑みてなされたものであり、その目的とするところは、何度でも内側の保冷剤、または保温剤とカバーを簡単に入れ替えて利用可能にすることで衛生的、かつ個人差にも、形と希望温度に対応できる。
また、直接肌に触れないため急激な温度変化に不快感を感じることも低減できる。
とくに、ブラジャー着用時に汗をかきやすい部分に装着できることで、カバーの汗取り効果と保冷剤の効果が発揮でき、また、寒い時期には汗を取りながらも全身の保温に役立つ。
さらに、できる限りブラジャーから本発明出る部分の面積を狭くすることでブラジャーの上に着用した洋服に影響しないように審美的にも配慮している。
本発明は、以上の構成よりなる下着に挟む保冷・保温パッドである。
【発明の効果】
【０００６】  また、本発明の目的は、人体に接したときに適度な冷たさ・温かさを感じさせる保冷具を提供することにある。
保冷、または保温剤（２）に、体が急激な温度変化を感じることを防ぐためのカバー本体（１）をつけ、谷間とブラジャーにフィットする形にし、また、心臓部分に近いため、全身血管に流れる大動脈部分を間接的に冷やす、または温めることで、早い段階で快適な温度に調整することができる保冷・保温パッドを特徴とする。
また、ブラジャーに挟むタイプなので、特別なストラップは不要で、また、ブラジャーの外見を損なうことなく装着することができる。
【図面の簡単な説明】
【０００７】
【図１】  （ａ）、（ｂ）は、本発明の保温、または保冷パッドの一実施例の概観を表面から見た状態を示した説明図である。
【図２】  本発明の保温、もしくは保冷パッドの一実施例を着衣の下に装着した状態を示した説明図である。
【図３】  本発明の保温、または保冷パッドの一実施例の断面図である。
【図４】  （ａ）、（ｂ）は、本発明の保温、または保冷パッドの一実施例の概観を表面から見た状態を示した説明図である。
【図５】  本発明の保温、もしくは保冷パッドの一実施例を着衣の下に装着した状態を示した説明図である。
【図６】  （ａ）、（ｂ）は、本発明の保温、または保冷パッドの一実施例の概観を表面から見た状態を示した説明図である。
【図７】  本発明の保温、もしくは保冷パッドの一実施例を着衣の下に装着した状態を示した説明図である。
【図８】  （ａ）、（ｂ）は、本発明の保温、または保冷パッドの一実施例の概観を表面から見た状態を示した説明図である。
【図９】  本発明の保温、もしくは保冷パッドの一実施例を着衣の下に装着した状態を示した説明図である。
【発明を実施するための形態】
【０００８】  以下、本発明を実施するための形態について説明する。
本発明によれば、ブラジャーの内側にフィットするように、保冷、または保温パッド（２）を、ハートなどの形状で袋状のカバー本体（１）の挿入部（３）に入れて、気温にあわせて中身を出し入れ可能にした、保冷、または保温剤パッド。
また、用途によっては使い捨てタイプの方が使い勝手がいい場合もあり、その場合には保温、または保冷剤にあらかじめ挿入口（３）のないカバー本体（１）を装着させる。
また、形状と用途によっては、挿入口（３）にホック、または、ボタン、チャックなどの留め具を付ける場合もある。
このカバーは汗・よごれに耐えうる生地のもので、ブラジャーのフロント部分内側、もしくは両側のカップワイヤーに沿うような形にしているものである。
これを使用するときには、ブラジャーを着用したあとに本発明をブラジャーのフロント内側部分、もしくはブラジャーのカップ部分に装着する。
【符号の説明】
【０００９】１  カバー本体
２  保温、または保冷パッド
３  挿入口
【図１】
2013100627.tif 000003
【図２】
2013100627.tif 000004
【図３】
2013100627.tif 000005
【図４】
2013100627.tif 000006
【図５】
2013100627.tif 000007
【図６】
2013100627.tif 000008
【図７】
2013100627.tif 000009
【図８】
2013100627.tif 000010
【図９】
2013100627.tif 000011
(57)【要約】【課題】  出来るだけ安価で、装脱着が簡単で、爽やかな涼しい風を、頸部等に送風でき、安全でかつ、既存のどんなタイプのヘルメットにも装脱着可能な、一体型の、ヘルメット専用の、涼風機ヘルファンを提供する。【解決手段】モーターファンが内蔵された本体に、髪巻き込み防止カバーを付けて、涼しい風を作り出す、噴霧器を一体化させ、取り外しが簡単な、面ファスナーを利用して、既存ヘルメットの、後部側の下部に、装着して設ける。【選択図】図３
2013100625.tif 000002
【特許請求の範囲】
【請求項１】
ヘルメット後部側の下部に、電源、噴霧器、髪巻込み防止カバーの付いた、一体型送風機本体を、装脱着可能にして取付け、噴霧器の噴射口を送風機本体の、前面に取り付け、後頭部付近に霧を噴射出来る様にした事を特徴とした、涼風機ヘルファン。
【発明の詳細な説明】
【技術分野】
【０００１】  本発明は、熱中症から頸部（首）等を保護する為のヘルメット専用の、後付け送風器具、涼風機ヘルファンに関するものである。
【背景技術】
【０００２】  従来、熱中症対策としては、帽子、首にタオルを巻く他に、水分と塩分補強等、最近は、熱を下げる湿布剤、水に濡らすだけで冷たい、冷感タオル等のグッズも増えては来ているが、長い時間効果のある商品は、見当たらない。
【先行技術文献】
【０００３】
【特許文献１】  特開２００７−１６３７６号公報
【発明の概要】
【発明が解決しようとする課題】
【０００４】  ２０１１年の原発事故による停電と節電、又近年の異常な猛暑により、熱中症で倒れる人が急増しています、ヘルメットを着帽する人は特に厳しい状況ですが、ヘルメット用に有効な熱中症対策商品は無く、冷感剤等で、頑張っている状況です。
例えば（特許文献１）を参照すれば、冷却装置で冷風を送る検討もされていますが、冷却装置では、高価な物に成る事でしょう、また冷風を長く、頭部に当てる事には、不安も感じます、本発明は、この問題を解決するためになされた物である。
【課題を解決する為の手段】
【０００５】  モーターファン内蔵の本体と、電池ＢＯＸ、水量が見えるスケルトン噴霧器、髪の長い人にも安全な、髪巻込み防止カバーを、一体型の送風機にして、既存のヘルメットの後部側の下部に、装脱着が簡単な、面ファスナーで装着し、送風中に噴霧器により、霧を噴射する事で、後頭部等の首筋に、涼しい風を送る、以上の構成よりなる、涼風機ヘルファン。
【発明の効果】
【０００６】  本発明は  冷風ではないが、長い時間、爽やかな、涼しい風を送る事が可能で、既存のヘルメットに、後付けが可能な専用器具です、また、一体型送風機には、髪の巻き込み防止カバーが付いているので、髪の長い女性でも、安全です。
急な、雨等でも装脱着が簡単に出来る事も特徴です。
首筋等に、メンソール系の軟膏を少量塗れば、効果は更に、発揮されます。
【図面の簡単な説明】
【０００７】
【図１】本発明のモーターファン内蔵本体の断面図
【図２】本発明のヘルメット装着状況の背面図
【図３】本発明のヘルメット装着状況の側面図
【発明を実施するための形態】
【０００８】    以下、本発明の実施の形態を説明する。
（イ）本発明の涼風機ヘルファンは、図１のモーターファン内蔵本体（１）に、図１の髪巻き込み防止カバー（２）を図１のカバー止めビス（６）で固定する。
（ロ）モーターファン内蔵本体（１）の一方の側面に、図２の面ファスナー凹側（２１）を張り、図２のスケルトン噴霧器（３）には面ファスナー凸側（２０）を張る。
この凸側と凹側を、張り合わせて、モーターファン内臓本体（１）に装着する。
次は、図３の送水ゴムホース（１６）の一方をスケルトン噴霧器（３）の噴霧器送水口（１５）に接続し、もう一方を、図１のモーターファン内蔵本体（１）の霧噴射口（７）に接続する。
（ハ）反対側にも、同じく面ファスナー凹側（２１）を張る、図２の電池ＢＯＸ（４）には、面ファスナー凸側（２０）を張はり、同様に張り合わせて、装着する。
（ニ）これで、モーターファン内蔵本体（１）、髪巻き込み防止カバー（２）、スケルトン噴霧器（３）、電池ＢＯＸ（４）、の四つの機能が一体化する事で図２の一体型送風機が（５）が完成する、完成した一体型送風機（５）を、図２の既存ヘルメット（１３）の後部側の下部に装着して、送風中に噴霧器ピストン（１４）を押す事で、後頭部付近に霧を発生させ、爽やかな涼風の提供が可能になった。
本発明は、以上の様な構造である。
【０００９】    以下、本発明の使用方法を説明する。
（イ）本発明は、図２の様に、既存ヘルメット（１３）に取り付ける物であるから装着前の準備として、既存ヘルメット（１３）を着帽し、図３の様に、一体型送風機本体（５）の正面を、頸部付近に合わせ、装着位置を決める、決定したら、装着位置の油分除去を行う、装着方法は、同様に面ファスナー凸凹を使用します。
基本的に、装着する部品に面ファスナー凸側（２０）を使い、受け側に凹側（２１）を使用します。
（ロ）次は、図１の一体型本体（５）の面ファスナー（２０）を、決定した、既存のヘルメットの装着位置に、面ファスナー凹側（２１）貼り付け、また凸側と凹側を、張り合わせ装着する、次に、図２の水平バンド（１２）を、図２の水平バンド通し（８）に通して、既存ヘルメット側の面ファスナー凹側（２１）と、しっかり装着する、これで二重の脱落防止になり、装着の完了になります。
（ハ）次は、スケルトン噴霧器（３）に、噴霧器給水口（１７）より水を入れて、電池ＢＯＸ（４）に、単三電池２本を入れ、電源スイッチ（１８）をＯＮにします。
一体型送風機本体（５）が送風を開始したら、噴霧器ピストン（１４）を押す事で、図３の霧噴射口（７）より霧が発生し、後頭部付近に、涼しい風を提供します。
以上で、涼風機ヘルファンの完成になります。
【符号の説明】
【００１０】  １モーターファン内蔵本体            １１ファン
２髪巻き込み防止カバー              １２水平バンド
３スケルトン噴霧器                  １３既存ヘルメット
４電池ＢＯＸ                        １４噴霧器ピストン
５一体型送風機                      １５噴霧器送水口
６カバー止めビス                    １６送水ゴムホース
７霧噴射口                          １７噴霧器給水口
８水平バンド通し                    １８電源スッチ
９モーター                          １９電池ＢＯＸ配線口
１０モーター配線口                    ２０面ファスナー凸側
２１面ファスナー凹側
【図１】
2013100625.tif 000003
【図２】
2013100625.tif 000004
【図３】
2013100625.tif 000005
(57)【要約】【課題】自然人の所得や経済を成長オペレーション発展させるために、インフレターゲットをあまり大きくしないで少しずつプログラム実施。前記を完成させるために政府のプライマリーバランスを余剰金産生財政をきづく必要がある。【解決手段】余剰金産生公債発行プログラムセンター兼ホールディングスの形成【選択図】図１
2013254482.tif 000002
【特許請求の範囲】
【請求項１】
明細書記載の全内容のシステム．プログラム。
前記内容に記載の図１におけるセンターのシステム．プログラム。
【発明の詳細な説明】
【技術分野】
【０００１】本発明は、政府と企業と自然人の収入（給与を含む）の満足する余剰金を産生し、経済を活性化できるプログラムネットワークシステム。
前記プログラムを完成させる為に、政府と企業と自然人の収入を段階的に増額するための旅行と観光と不動産売買、賃貸と連動するすべての公債発行に係る公共事業の入札価格のインフレターゲットオペレーションコントロールによる余剰金産生プログラム連動政府のプライマリーバランス（ＰＢ）余剰金産生プログラムの自然人と旅行業者と不動産業者とのコラボレーション政府歳入余剰金産生に関するプログラムネットワークシステム。
【背景技術】
【０００２】現在の政府と自然人との企業の経済システムでは、満足する余剰金が産生できない。【０００３】余剰金産生どころか、赤字経済がほとんどである。
【発明が解決しようとする課題】
【０００４】本発明は、上記の点にかんがみてなされたもので、
わが祖国のために、政府と企業と自然人の収入（給与を含む）を段階的に増額するための旅行と観光と不動産売買、賃貸と連動するすべての公債発行に係る公共事業の入札価格のインフレターゲットオペレーションコントロールによる余剰金産生プログラム連動政府のプライマリーバランス（ＰＢ）余剰金産生プログラムの自然人と旅行業者と不動産業者とのコラボレーション政府歳入余剰金産生プログラムネットワークシステム  そのプログラムネットワークシステムのマネー（電子マネーを含む）経済インフレターゲットオペレーションコントロール指令をその国の政府がオペレーションプログラムするシステムを構築することを目的とする。
【課題を解決するための手段】
【０００５】住宅購入価格と不動産購入価格と旅行商品価格と観光商品価格と人を輸送するための価格と演算処理し、マネーサプライを拡大する。
住宅購入価格とその債務返済期間とその債務返済期間に演算処理プログラムし、余剰金を産生する行程において、不動産購入価格と旅行商品価格と観光商品価格と人を輸送するための価格との相関関係においても余剰金を産生するために演算処理プログラムし、マネーサプライを拡大する。
【０００６】演算処理プログラム産生されたマネーサプライは、全体収入の５０％の（電子マネーを含む。）お金において、その国の基本政府の指令の元、自然人と法人と民間人の給与と公務員の給与としてＩＴ上送金され、その収入から、政府の国債整理基金としても積立てられる。（送金方法は、すべてのＩＴを活用プログラムする。）
【発明の効果】
【０００７】公務員の給与と民間人の給与を拡大することになり、社会全体の経済が安定し、インフレターゲットのオペレーションしやすい余剰金産生プログラムが可能となり、物価価格も安定させられる。
古来型のインフレに悩まされることもなくなる。
【図面の簡単な説明】
【０００８】
【図１】社会経済安定余剰金産生の為の社会経済安定余剰金公債との電子マネーを含むマネーサプライ拡大公共投信を含む余剰金産生プログラムによる公務員の給与と民間人の給与と法人へのマネーサプライオペレーション経由、ＩＴ上、公務員の給与と民間人の給与と法人への供給マネーが、送金される。その国の金融．証券等法人が参加し、センターにより（例えば政府中央銀行）コントロールされるための余剰金産生ホールディングス。前記ホールディングスのマネー循環内容は、国民に情報公開されるセンター。
【発明を実施するための形態】
【０００９】請求項の全内容と図１を実施形態とする。
自然人と法人と政府への送金は、すべての数学的管理表と回転率データーより演算計算され、順次送金される。
尚、本全体のプログラム送金には、公債によるかりかえ債も含まれる。
【産業上の利用可能性】
【００１０】自然人と法人の収入を段階的に増加させ、経済成長する。
【符号の説明】
【００１１】１．マクロ政府救済センター
（余剰金産生公債の受渡情報公開センター）
【図１】
2013254482.tif 000003
(57)【要約】【課題】中古のマンション、アパート、別荘、トレーラーハウス、活用されていない学校の施設等を、短期賃貸として活用する際に、チェックイン・チェックアウト手続きを省いて、特に遠隔地の物件であったとしても、短期賃貸物件として運営することを可能とするマネジメントシステムを提供する。【解決手段】貸し手側は、賃借する中古マンション等の物件入り口ドアを、オートロック及び暗証番号解除式の錠前へと変更する。変更が不可な場合や、鍵の数が多い場合は、暗証番号解除式の小型保管箱に、通常の鍵を保管する。貸し手側は、賃借する各物件の詳細情報を、ウェッブサイトに掲載し、各物件毎に、予約を受け付けるインターネットサイトを運営する。利用希望者は、インターネットで賃借を希望する特定の物件を予約する。貸し手側は、予約が確定した物件の暗証番号を更新し、利用者へ通知する。利用者は、暗証番号を用いて、予約した物件を利用する。【選択図】なし【特許請求の範囲】
【請求項１】
インターネットによる特定物件予約と、暗証番号解除式錠前を活用した短期賃貸物件マネジメントシステム。
【請求項２】
インターネットによる特定物件予約と、暗証番号解除式錠前を活用したフロントなどでのチェックイン・チェックアウト対応を必要としない短期賃貸物件マネジメントシステム。
【請求項３】
インターネットによる特定物件予約と、暗証番号解除式錠前を活用し、遠隔地の中古マンション等の物件を短期賃貸物件として運営するマネジメントシステム。
【請求項４】
インターネットによる特定物件予約と、暗証番号解除式錠前を活用し、１件からでも短期賃貸物件を運営できるマネジメントシステム。
【請求項５】
インターネットによる特定物件予約と、暗証番号解除式錠前により、賃貸終了後の鍵交換を不要とした短期賃貸物件マネジメントシステム。
【請求項６】
請求項１、請求項２、請求項３、請求項４、または請求項５記載のマネジメントシステムで運営される賃貸物件。
【発明の詳細な説明】
【技術分野】
【０００１】
中古のマンション、アパート、別荘、トレーラーハウス、或いは使用されていな学校などの施設等を、仮に遠隔地にあったとしても、短期賃貸として運営することを可能とするマネジメントシステムに関する。
【背景技術】
【０００２】
従来、ウィークリーマンションや宿泊施設を利用する際、利用者は貸し手側のフロントや事務所へ出向き、チェックイン手続きを行い、賃借する物件を確定させ、当該物件の鍵を受け取った上で、賃借を開始する手続きとなっていた。同様に、物件から退去する祭にも、チェックアウトの手続きを行い、鍵の返却を行うことが通例であった。
【発明の概要】
【発明が解決しようとする課題】
【０００３】
これには、次のような問題があった。
【０００４】
貸し手側は、賃借する物件の近くに、チェックインに対応するフロントや事務所を設ける必要があり、初期投資及び対応する人員などの運営費が多額となる要因となっていた。
【０００５】
利用者は、物件を利用開始する際に、フロントや事務所に出向き、チェックインの手続きをする必要があり、チェックイン時間による制約やフロント等へ出向く手間を強いられていた。
【０００６】
利用する物件は、チェックインの際に決まることが通例で、利用者は、チェックインするまで利用できる物件を確定することができず、最悪の場合、希望する物件を利用できない場合もあった。
【０００７】
貸し手側は、フロント機能や対応する人員に関わる費用をまかなうため、貸し出す物件数を多くする必要性があり、賃借事業を開始する際の初期投資が多額となる要因となっていた。
【０００８】
利用者は、賃借物件の利用を終了する際には、退去手続きを行い、鍵を返却する必要があった。鍵の紛失に関わらず、安全上の理由から、利用者は、鍵の交換代の負担を強いられることもあった。
【課題を解決するための手段】
【０００９】
貸し手側は、賃借する各物件の所在地、物件の間取り、備品、景色、共用施設、アクセス情報、賃貸条件、予約状況、予約方法等の詳細情報を、ウェッブサイトへ掲載し、当該情報に基づき、利用希望者がウェッブ上で特定の物件を予約できるサイトを構築する。
【００１０】
貸し手側は、賃借する中古マンション等の物件ドアを、オートロック及び暗証番号解除式の錠前へと変更する。暗証番号解除式錠前の取り付けができない場合や学校施設等で錠前数が多い場合は、暗証番号解除式小型保管箱に、通常の鍵を保管する。
【００１１】
利用希望者は、貸し手側運営のウェッブサイトで、利用希望の物件を検索し、希望する物件が特定できた場合、当該ウェッブサイトにて特定の物件を指定して予約を行う。
【００１２】
予約を受けた貸し手側は、ウェッブ上のカード決済、銀行送金、現金の郵送等、利用希望者が貸し手側へ直接出向くことなく、決済できる方法を準備し、当該決済方法にて、予約された物件の賃借料の支払いを受ける。
【００１３】
貸し手側は、予約を受けた物件のドアロック解除番号新たに更新した上で、利用者へと連絡する。
【００１４】
利用者は、予約した期間ドアロック解除番号を用いて、予約した特定の物件を利用し、予約期間が終了する段階で、私物等を撤去して、物件から退去することにより、物件の利用を終了する。
【００１５】
本発明は、以上からなる短期賃貸物件のマネジメントシステムに関するものである。
【発明の効果】
【００１６】
ウェッブサイトでの予約、事前決済、および暗証番号解除式錠前の組み合わせにより、貸し手側はフロントや事務所を設置することなく、賃貸事業運営が可能となり、初期投資及び運営費を軽減することができる。
【００１７】
貸し手側は、フロントや事務所の設置が不要となるため、物件近隣の清掃会社等の協力機関を起用することにより、地理的に離れた場所の中古マンション等も短期賃貸物件として運営することが可能となる。
【００１８】
フロントが不要となり、初期投資及び運営費が軽減されるため、運営する賃貸物件数を少なくすることができ、賃借事業を開始する際の物件数を少なくすることができる。
【００１９】
賃借する中古マンション等の物件への仕様変更は、鍵の交換か小型保管箱の設置のみであるため、物件の仕様変更に関する投資額も少額となる。暗証番号解除式の錠前は、コンピューター等を活用した集中管理ではなく、個別の錠前であるため、投資額及び運営費は、非常に少額となる。
【００２０】
利用者は、貸し手側のフロントや事務所へ出向くことなく物件を利用することができるため、チェックイン時間の制約を受けることがなく、また移動の効率化など、利用者の利便性が向上する。
【００２１】
利用者は、事前に賃貸利用する物件を戸別に特定することができる。
【００２２】
暗証番号解除式錠前を使った物件であれば、鍵を紛失するリスクが無く、また賃貸終了時の鍵交換の手間や費用が発生しない。
【００２３】
本システムを活用すれば、閉鎖された学校等の施設も賃借物件として活用することも可能となる。
(57)【要約】      （修正有）【課題】後開きドレス等に付いているファスナーの開閉に際し、着脱の動作を身体に無理なく楽に上げ下げするための補助器具を提供する。【解決手段】クリップ上部パーツ１は平らでクリップ下部パーツ２は緩やかな傾斜をつけたクリップ型のファスナー開閉補助器具であり、クリップ下部パーツの前面に突起３を有した円盤４が回転するように円盤中心５に留め、クリップ上部パーツには突起のない平らな円盤６の上部に鍵カン７を配しビス留め８し、クリップ上部パーツと円盤と鍵カンは一体とし、クリップ下部パーツに取り付けた円盤の突起を受けるものとする。クリップ上部パーツと下部パーツはそれぞれの足９で合体させその中間部にバネ１０をセットしてクリップの態をなす。後ろ開きドレス等の背面に有るファスナーのスライダー部分に取り付けクリップ本体後部に接続したストラップを保持して引っ張りスライダーを上げ下げしてファスナーを開閉する。【選択図】図３
2013153920.tif 000002
【特許請求の範囲】
【請求項１】
平らクリップ上部パーツ１と緩やかな傾斜のあるクリップ下部パーツ２からなるクリップ型のファスナー開閉補助器具であり、クリップ下部パーツ２に突起３を要した円盤４が回転するように留め、クリップ上部パーツ１には突起のない平らな円盤６を設け、クリップ下部パーツ２およびクリップ上部パーツ１の中間部にスプリング５をセットしてクリップの定をなすことを特徴とするファスナー開閉補助器具。
【請求項２】
前記クリップ上部パーツ１とクリップ前記下部パーツ２の開くのを防止する鍵カンを前記クリップ上部パーツ１の先端に設けたことを特徴とする請求項１記載のファスナー開閉補助器具。
【請求項３】
前記クリップ上部パーツ１の端に紐１２を取り付けことを特徴とする請求項１又は請求項２記載のファスナー開閉補助器具。
【発明の詳細な説明】
【技術分野】
【０００１】
本発明は、後開きドレス等に付いているファスナーの開閉に際し、着脱の動作を身体に無理なく楽に上げ下げするための補助器具を提供するものである。
【背景技術】
【０００２】
洋装店などで販売されている後開きドレスのファスナーについて、着脱時の上げ下げを困難に感じる顧客が多い。
【発明の概要】
【発明が解決しようとする課題】
【０００３】
後開きドレスの着脱は年齢とともに後ろに手がまわり難くなり、核家族で、一人住まいの女性や高齢者には、とりわけ困難を要する。また若い女性にとってもデザイン性に富んだスリムなワンピースは同様に苦労し、肥満女性にとっても同様である。
【課題を解決するための手段】
【０００４】
クリップ上部パーツ１は平らで、クリップ下部パーツ２は緩やかな傾斜のあるクリップ型のファスナー開閉補助器具であり、クリップ下部パーツ２に突起３を要した円盤４が回転するように円盤の中心５に留める。クリップ上部パーツ１には突起のない円盤６の上部に鍵カン７を配し、ビス留め８をして上部パーツ１と円盤６と鍵カン７は一体のものとする。クリップパーツ１とクリップパーツ２には双方を固定するための足９を付けてビス留めし一体の物とする。クリップの機能を要するためのバネ１０をクリップ１とクリップ２の間にセットしてクリップの定をなすものとする。クリップの端に穴１１を開けて紐を取り付けて、これを引っ張ることでファスナーの開閉を無理なく行うことが出来るファスナー開閉補助器具です。
【発明の効果】
【０００５】
本発明のファスナー開閉補助器具は、後開きドレス等の洋服を一人で着脱する際に、背面のファスナーに手が届かなかったり、肩に負担がかかることを解消し、他人の手を借りずに洋服の着脱を無理なく容易に行うことが出来る。
【図面の簡単な説明】
【０００６】
【図１】クリップのパーツ
【図２】突起を有した円盤と鍵カンをそれぞれのパーツにビス留めした図
【図３】クリップの上下パーツを足９で合体した図
【図４】ファスナーをタイプ別に示した図
【図５】クリップ型ファスナー開閉補助器具の全体図
【図６】クリップ型ファスナー開閉補助器具をバックチャームとしての全体図
【発明を実施するための形態】
【０００７】
本発明はファスナーのスライダーをはさんで上げ下げするクリップ型のファスナー開閉補助器具で、クリップ下部パーツ２の内部には突起３を要した円盤４の中心５でクリップパーツ２を併せて３６０度回転するように留める。
クリップ上部パーツ１には円盤４を受けるための円盤６があり、この円盤６の上部には鍵カン７を有し、クリップ上部１と円盤６と鍵カン７は一体の物であり、このクリップ上部１とクリップ下部２とでファスナーのスライダーを挟んでファスナーを開閉する
【０００８】
図１、図２、図３、図５および図６を用いて詳細を説明する。
図１、図２に示すように、１はクリップの上部パーツであり、突起を有しない円盤６を備え、鍵カン７を有する。クリップ１と円盤６と鍵カン７は一体のものとする。
図１、図２に示すように、２はクリップ下部パーツであり、緩やかな形状で突起３を有した円盤４を備え、円盤４は円中心５で留めて３６０度回転する機能を有する。
図３に示すように、クリップ上部１とクリップ下部２は足９で双方を結合させバネ１０を配してクリップの定をなす。
図５、図６に示すように、クリップの後方部の穴１１に長さ５０センチ程度で使用上の必要強度を有する紐１２を接続し、紐１２の中間部１３と末端に蟹カン１４を付けてバックチャームなどのアクセサリーとしても使用可能とする。
【０００９】
ファスナー開閉補助器具本体の機能説明をする。
円盤４の突起３は、ファスナーＡの丸カン２１およびＢの隙間２２または丸穴２３の各部を保持し、円盤６と挟みあうことでスライダー上げ下げ時の引き抜けを防止するものである。円盤４は回転することでスライダー上げ下げ時にクリップ部の可動域を確保し、鍵カン７をかけることでスライダーの抜け出しを防止しスムーズな開閉動作を実現するものである。
【実施例】
【００１０】
本発明のファスナー開閉補助器具を使用する時は、予め後開きドレス等のファスナーのスライダー部分にファスナー開閉補助器具を設置しておく。次いで洋服を着用し、ファスナー開閉補助器具の紐を後ろ手に肩越しへ持ち上げ余長をとり、引き上げることでファスナーを閉じる。
洋服を脱ぐ際は首の後ろにあるファスナーのスライダーをファスナー開閉補助器具で挟み、鍵カンをかけ紐を引いてファスナーを下ろす。
【符号の説明】
【００１１】
１  クリップ上部パーツ
２  クリップ下部パーツ  
３  突起
４  突起を有した円盤
５  円盤４の中心穴
６  突起を有しない円盤    
７  鍵カン
８  鍵カンビス留め
９  合体用の足
１０  バネ
１１  穴
１２  紐
１３  紐中間部に取り付けたカニカン
１９  ファスナーＡのスライダー
２０  ファスナーＢのスライダー
２１  丸カン
２２  ファスナーＢのスライダーの隙間
２３  ファスナーＢのスライダーの穴
２４  紐末端とりつけカニカン
【図１】
2013153920.tif 000003
【図２】
2013153920.tif 000004
【図３】
2013153920.tif 000005
【図４】
2013153920.tif 000006
【図５】
2013153920.tif 000007
【図６】
2013153920.tif 000008
(57)【要約】【課題】ハーブ抽出物から得られる優れた消臭効果、酸化防止剤を使用せずとも酸化防止効果をもつ肉類・魚介類用エキスを提供する。【解決手段】ハーブの生葉を水に入れ沸騰させ、その蒸気を冷やし時間をかけて抽出した蒸留水とその残りの煮出汁を混ぜエキスを製造し、この二つを混ぜることで芳香成分と有効成分が濃縮されたハーブエキスとなり、肉類・魚介類を漬け込み又は塗布することにより消臭効果、酸化防止効果を得る。【特許請求の範囲】
【請求項１】
ハーブを煮出した煮出汁に芳香蒸留水を加える特徴とするハーブエキス。
【請求項２】
ハーブ生葉１０ｋｇ〜２０ｋｇに対し水１５ｌ〜２０ｌを使用し抽出される
特徴とする請求項１記載のハーブエキス。
【請求項３】
肉類・魚介類の臭みを抑え酸化防止効果を向上させる請求項１記載及び請求項２記載のハーブエキス。
【発明の詳細な説明】
【技術分野】
【０００１】本発明は、肉類・魚介類に塗布または漬け込み食するハーブエキスに関する。
【背景技術】
【０００２】干物を例にとると、従来は酸化防止のため酸化防止剤（ビタミンＣ／Ｅ等）や  多量の塩に所要時間漬け込み後、水洗いし天日干し・熱風などの乾燥作業を行っていた。
また、賞味期間を短くし、流通期間短縮や保管温度を低くしたりするなどの工夫を行っている。【０００３】従来の干物には魚独特の臭みが残り、それそのものが干物の特徴でもあったが独特の臭みを好まぬ向きも存在する。上述の問題のために例えば特開平９−４７２５６号広報には干物の製法において、生のハーブと所定比の塩との混合、ミキシングして微細粉砕し、練り物状とした素材を水に溶いたものか前途練り物状素材を塩水に所定比で添加し均一に溶いたものを使用する方法が開示されている。その他に酸化防止剤（ビタミンＣ／Ｅ等）などに漬け込むことにより添加物を摂取しなくてはならず健康志向の向きには好まれない
【先行技術文献】
【特許文献】
【０００４】
【特許文献１】  特開平９−４７２５６号広報
【発明の概要】
【発明が解決しようとする課題】
【０００５】干物を例にとると、従来は酸化防止のため酸化防止剤（ビタミンＣ／Ｅ等）や  多量の塩に所要時間漬け込み後、水洗いし天日干し・熱風などの乾燥作業を行っていた。また、賞味期間を短くし、流通期間短縮や保管温度を低くしたりするなどの工夫を行っている。
従来の干物には魚独特の臭みが残り、それそのものが干物の特徴でもあったが独特の臭みを好まぬ向きも存在する。その他に酸化防止剤（ビタミンＣ／Ｅ等）などに漬け込むことにより添加物を摂取しなくてはならず健康志向の向きには好まれない。
上述により酸化防止剤を使用せずとも酸化防止効果を向上させ、ハーブの薬効成分により素材そのものが持つ臭みを抑える事を課題とする。
【課題を解決する手段】
【０００６】ハーブを煮出した煮出汁に芳香蒸留水を加えハーブエキスとする。
ハーブ生葉１０ｋｇ〜２０ｋｇに対し水１５ｌ〜２０ｌを使用し抽出される
ハーブエキスは肉類・魚介類の臭みを抑え酸化防止効果を向上させる。
【発明を実施するための形態】
【０００７】本発明は肉類・魚介類がもつ独特な臭みをハーブエキスに漬け込むことにより素材そのものの旨味を残しつつ消臭する。また酸化防止剤を使用しないため酸化防止剤に含まれるビタミンＣ／Ｅの酸化そのものを最小限に抑えられる。ハーブの持つ薬効成分により酸化防止効果を向上させ小売店の在庫管理、消費者の保存期間そのものに幅広く利点をもたらすことができ、生臭さが消えることにより肉類に属する内臓系を苦手とする向きや、魚介類離れが問題視される幅広い層へ、また添加物を使用しないため無添加自然食品として新たな食の提案ができる。脂肪酸が酸化されて生ずる過酸化脂質が身体の老化を促進する可能性が指摘されており酸化防止剤が用いられるが、本発明は無添加ハーブエキスにより酸化防止効果を向上させより自然に近い状態で食することができる。
【０００８】以下、本発明について詳細に説明する。本発明においてハーブエキスとはハーブの生葉を水に入れ沸騰させ、その蒸気を冷やし時間をかけて抽出した蒸留水とその残りの煮出汁を混ぜたものを言う。ハーブ生葉を長時間煮出すことによりハーブ独特の香が濃縮された蒸気となりそれを冷却することにより芳香蒸留水となる。またハーブ生葉を煮込んだ残り汁にはハーブの持つ有効成分が濃縮され、この二つを混ぜることで芳香成分と有効成分が濃縮されたハーブエキスとなる。
【０００９】ハーブエキス抽出にはハーブ生葉１０ｋｇ〜２０ｋｇに対し水１５ｌ〜２０ｌを使用する。通常煮出す温度は１００度で沸点に達し蒸気を発生させ４時間〜６時間煮出した状態で７ｌ〜１０ｌの蒸留水得ることができる。しかし圧力鍋（圧力窯）を使用した場合、ハーブ生葉量１０ｋｇ〜２０ｋｇに対し水量１５ｌ〜２０ｌを使用し、煮出す温度は１００度に達する前に沸点に達し蒸気を発生させることができる。この場合煮出し時間１時間〜２時間で７ｌ〜１０ｌの蒸留水得ることができる。
【００１０】以下はハーブエキス処理（漬け込み時間０分・５分・１５分）したアジを干物にし脂質酸化実験した結果である。脂肪酸化反応に与える影響は酸化防止剤（ビタミンＣ）使用時に対しＴＢＡ値（脂質の変敗および変敗において生成された２次生成物量）で１．７倍〜２．３倍、ＰＯＶ値（油脂の自然酸価による過酸化物の量）で２．４倍〜５倍の抑制効果が得られる。
この結果より、ハーブエキスの酸化防止効果は従来工法より著しく向上することが確認できる。
2013153737.tif 000002
(57)【要約】【課題】  コーヒーと牛乳のブレンド品のしこうドリンクに類似させたコーヒーとあまざけのブレンド品を牛乳又はコーヒー牛乳のように薬物投与の効能上ドリンク禁止とされない健康促進ドリンクとして提供する。【解決手段】牛乳又はコーヒー牛乳の創る食道中の管壁の牛乳膜に原因があり、牛乳の代わりにあまざけを採用すると牛乳膜のようなあまざけ膜、コーヒー膜で薬物投与の効能を損なう事なく健康促進ドリンクのしこう品コーヒーあまざけを提供する事によって解決した。【選択図】    図１
2013153708.tif 000002
【特許請求の範囲】
【請求項１】
あまざけにコーヒーをブレンドして缶又はプラスチック容器に格納したコーヒーあまざけ。
【発明の詳細な説明】
【技術分野】
【０００１】
本発明は、従来の缶又はプラスチック容器入りドリンクの一つに属するコーヒーあまざけに関する。
【背景技術】
【０００２】
従来の缶又はプラスチック容器入りドリンクの中身は、コーヒー又はあまざけ夫々単品化されたものがあります。
【発明の概要】
【発明が解決しようとする課題】
【０００３】
医師による薬物投与の効能上、牛乳・乳製品のドリンクを禁じられている人中心に、コーヒー牛乳に変わる嗜好品コーヒーとあまざけのブレンドされたドリンクの要求が多くなっている。美容上総入れ歯にした人、幼児、高齢者に共通した消化の良いあまざけのバリエーション要求に夫々の単品では飽きがきているという欠点がある。
【０００４】
本発明は、上記実情を鑑みてなされたものであり、物理量をあげてドリンクしても健康促進となり飽きがこないコーヒーとあまざけのブレンド品である。
【０００５】
上記目的を達成するため発明は、従来の缶又はプラスチック容器入りのコーヒー又はあまざけ単体を（あるいはあｍあざけにコーヒー粉体を）ブレンドした缶又はプラスチック容器に格納した解決の構成である。
【発明の効果】
【０００６】
本発明により、食道系の管壁に牛乳膜を創らず、消化の良いあまざけにコーヒー粉末をブレンドした健康促進ドリンクの用途で従来品にない味覚を提供します。
【図面の簡単な説明】
【０００７】
【図１】本発明のコーヒーあまざけ缶容器である。
【図２】本発明のコーヒーあまざけ（プラスチック容器）である。
【発明を実施するための形態】
【０００８】
本発明の実施の形態の一例について図面を参照しながら説明する。
コーヒーあまざけは図１、図２に示すように、あまざけ２とブレンドされたコーヒー３を格納する缶又はプラスチック容器１で構成される。コーヒーとあまざけのブレンドが嗜好品としての味覚に秀れた結果を出す。
【符号の説明】
【０００９】
１      缶又はプラスチック容器
２      あまざけ
３      コーヒー
【図１】
2013153708.tif 000003
【図２】
2013153708.tif 000004
(57)【要約】【課題】  光合成を太陽光一杯に得られる光制御手段を有しない養殖方法の緑色クロレラ製造方法によるクロレラの消化不良問題の解決方法。【解決手段】従来の淡水ばい養（養殖）手段の淡水容器に淡水と被ばい養（養殖）クロレラを準備して新規に光制御手段としての光斜断手段（上ぶた）により解決した。地下のほら穴は自然に準備された解決手段である。【選択図】    図１
2013153660.tif 000002
【特許請求の範囲】
【請求項１】
光合成の光制御として光を斜断する手段を有したクロレラ製造方法。
【発明の詳細な説明】
【技術分野】
【０００１】
本発明は、従来の徳川林政所研究成果に基くクロレラに属するクロレラ製造方法に関する。
【背景技術】
【０００２】
1960年代に徳川林政所研究成果として光合成による淡水ばい養殖の緑色クロレラ製造方法が発表され今日に至っている。
【発明の概要】
【発明が解決しようとする課題】
【０００３】
緑色クロレラ製造方法によるクロレラは人・畜の食料にすると緑色体が消化不良を起こすという欠点がある。
【０００４】
本発明は上記実情を鑑みてなされたものであり、光合成の光の制御による白色クロレラ製造方法とする。
【課題を解決するための手段】
【０００５】
上記目的を達成するための発明は、光合成によるウド栽培に光を斜断した地下の横穴の中で、従来の緑色ウドを太陽光一杯の地上で栽培したために少し固くできるの比し、白色となるやわらかい（食する時）ウドが得られる事に準じた製造方法を採用した解決方法である。即ち土中のじゃがいもの太陽にあたる部分としていもが土の上に出ていて緑色化した部分のたん白質がかたく食するのに消化不良を起す事もヒントである。従来の製法に光制御手段を追加したクロレラ製法である。
【発明の効果】
【０００６】
本発明により、白色クロレラの人・畜の食用の用途で、従来品にない消化不良を起こさないクロレラを提供します。
【図面の簡単な説明】
【０００７】
【図１】本発明のクロレラ製造方法である。
【発明を実施するための形態】
【０００８】
本発明の実施の形態の一例について図面を参照しながら説明する。
白色のクロレラ製造方法は図１に示すように、クロレラ１と光斜断手段（上ぶた）２、淡水ばい養（養殖）手段（容器）３、淡水４、で構成される。
量産する時、地下の横穴の中でこの構成を運用すると、やわらかい消化不良のない優れたクロレラとしての結果を出す。
【符号の説明】
【０００９】
１      クロレラ
２      光斜断手段（上ぶた）
３      淡水ばい養（養殖手段容器）
４      淡水
【図１】
2013153660.tif 000003
(57)【要約】      （修正有）【課題】低コスト且つ良好な加工性を有し、天然の食品のもつ独特の食感を呈し、栄養価の高い加工食品の製造方法を提供する。【解決手段】豆腐と、海藻ペーストとを加熱撹拌し、その混合物をカルシウムと酢を水で希釈した溶液に噴射し、溶液中で凝固させる。【選択図】なし【特許請求の範囲】
【請求項１】
豆腐と、海藻ペーストとを加熱撹拌し、その混合物をカルシウムと酢を水で希釈した溶液に噴射し、溶液中で凝固させることを特徴とする加工食品の製造方法。
【請求項２】
豆腐と海藻ペーストを加熱撹拌した混合物にアルギン酸及び寒天溶液の少なくとも一方を添加し、その混合物をカルシウムと酢と水で希釈した溶液に噴射し、溶液中で凝固させることを特徴とする加工食品の製造方法。
【発明の詳細な説明】
【技術分野】
【０００１】
本発明は、海藻を原料とする加工食品の製造方法に関する。
【背景技術】
【０００２】
タラやふぐの白子など独特の食感を有する天然の食品があり、高級食材として知られている。また、特開平５−３０８９３０号のように、人工的に天然の食品の食感を呈するものも登場している。
【先行技術文献】
【特許文献】
【０００３】
【特許文献１】特開平５−３０８９３０号公報
【発明の概要】
【発明が解決しようとする課題】
【０００４】
しかしながら、白子などの生の肝類は非常に高価であり、また、海鮮類から得るものであるから供給時期や生産量に限りがあるため、安定供給できない問題点があった。また、ペースト状にした菓子類は、食感を良好なものとするために様々な添加物が含まれることから栄養価が低くなってしまうため、食感を損なうことなく栄養価を高める工夫が必要であった。
【０００５】
本発明は、以上に述べたような実情に鑑みてなされてものであり、天然の食品のもつ独特の食感を呈し、尚且つ栄養価の高い海藻を原料とする加工食品の製造方法を提供することにある。
【課題を解決するための手段】
【０００６】
本発明の請求項１記載の発明は、豆腐と、海藻ペーストとを加熱撹拌し、その混合物をカルシウムと酢を水で希釈した溶液に噴射し、溶液中で凝固させることを特徴とする。
【０００７】
本発明の請求項２記載の発明は、豆腐と海藻ペーストを加熱撹拌した混合物にアルギン酸及び寒天溶液の少なくとも一方を添加し、その混合物をカルシウムと酢と水で希釈した溶液に噴射し、溶液中で凝固させることを特徴とする。
【発明の効果】
【０００８】
本発明のうち請求項１記載の発明によれば、海藻溶解物と豆腐が絡まることにより、粘性があって所定の保形力を有し、且つ口元に運ぶと口の中で容易に溶けながら崩壊するクリーム状の混合物が生成される。これにより、タラやふぐの肝からなる白子等の高カロリーで且つ高価な食品と同等の食感を呈する。そして、ここで得られた加工食品は、海藻ペーストの栄養価と相俟って、痛風の懸念があり食事制限を取らざるを得ないユーザーが安心して食せるとともに、海鮮類のように時期が限定されずに安定して供給できるため、安価に入手することができる。
【０００９】
本発明のうち請求項２記載の発明によれば、アルギン酸を加えることにより、海藻ペーストと豆腐の混合溶解物の保形作用が促進されるので、より効率的な製造ができる。  
【発明を実施するための形態】
【００１０】
以下、本実施による加工食品の製造方法を説明する。
本実施による加工食品は、海藻と豆腐とを主成分とするものであり、カルシウムと寒天溶液を溶かし且つ水で希釈した酢酸水溶液中で加熱撹拌することにより得られるものである。
＜海藻＞
海藻は、清水で洗浄することにより不純物を除去した海藻を適宜な大きさに切り分けたものであり、具体的に、ホンダワラ、アカモク、コンブ、ワカメ、テングサ、ヒジキ、モズク等の食用となる種のものが使用されている。また、加工前の材料は、生、半生、完全乾燥等いずれの状態のものでも使用することができる。そして、上記の海藻に酸性水の希釈液を投入して１〜２時間浸し、清水で再度洗浄することで一次海藻原料を生成する。次に、得られた一次海藻原料を真空高速回転加熱釜に入れて６０〜７０℃条件下で約３０〜６０分加熱しながら撹拌することで海藻溶解液とし、海藻溶解液になったことを確認後、さらにそのまま真空高速回転釜において８０〜９０℃条件下で約３０分加熱して撹拌することにより、粘性を有する海藻ペーストを得る。
＜豆腐＞
豆腐は、大豆から絞り出した豆乳を形成し、さらに、にがりを入れて形成するものである。
＜カルシウム＞
カルシウム水溶液の製造方法を説明する。活性牡蠣殻粉末、骨粉、貝殻、珊瑚、卵殻等を約２４時間食酢に浸して溶解し、濾過して溶け残った固形物を取り除き、カルシウム水溶液を生成する。
【００１１】
次に、上記の海藻ペーストと豆腐を使用し、加工食品を製造する手順を説明する。
第一の工程として、大豆から豆乳を絞り出す。
第二の工程として、豆乳ににがりを入れると同時に上記の海藻ペーストを投入して撹拌し、ゲル状の混合物を形成する。
第三の工程として、カルシウムと寒天溶液を入れた水で希釈した酢酸水溶液を用意し、上記第二工程のゲル状の混合物を充填機に投入し、その充填機に取り付けてあるノズルから螺旋状に噴射することにより、表面のみが酢酸水溶液中で凝固し且つ内部が凝固していないペースト状の加工食品が得られる。
【実施例】
【００１２】
以下、本発明の加工食品の一実施例を説明する。
＜原料＞
海藻ペースト４５ｇ、豆乳３００ｇ、寒天溶液１５ｃｃ、酢１００ｃｃ、カルシウム１０ｇ、酢１００ｃｃ、清水１０００ｃｃ
【００１３】
大豆を絞り出して豆乳３００ｇを生成し、にがりを加えると同時に、上記の製造工程で得られた海藻ペースト４５ｇを投入することで海藻ペーストと豆腐の混合した混合溶解物を生成する。さらに、混合溶解物を脱水し、そのゲル状の混合物に寒天溶液１５ｃｃを混ぜて撹拌機で撹拌する。次に、カルシウム１０ｇと酢１００ｃｃを１０００ｃｃの清水で希釈した混合水溶液を作る。そして、撹拌機による撹拌後に得られた撹拌混合物を充填機に投入し、充填機に取り付けてあるノズルから混合水溶液中に混合溶解物を噴射することにより、混合溶解物を混合溶液中で約１０分間放置して保形のために凝固させる。ここで得られた凝固物にアルギン酸を凝固物に対して重量比１％の割合で撹拌機に一緒に投入して撹拌することにより、表面のみが凝固し、白子のような外観の加工食品が得られる。
【００１４】
本発明の加工食品は、上記の白子のようなもののほか、生菓子としても提供できる。
この場合には、海藻ペーストと豆腐の配合割合を変更するとともに、カルシウムと酢の清水に対する重量比率を変更することにより、白子に代表される肝のような食感や生菓子のような滑らかな食感へと様々に変更することができる。また、豆腐と海藻ペーストの加熱撹拌の工程において、コラーゲンやＤＨＡ、ヒアルロン酸等を添加することにより、健康食品としても提供することができる。
(57)【要約】【課題】  従来から害虫駆除方法として用いられている農薬による駆除方法、熱や電気エネルギーを採用した補虫駆除方法、照明技術による駆除方法の課題に対処する防蛾照明灯を提供することである。【解決手段】  本発明の緑色ＬＥＤ防蛾照明灯は、緑色のＬＥＤを発光させ、蛾の活動を停止させるきわめて有効な波長を照射する装置であり、作物の光合成を抑制するために緑色ＬＥＤの照度を作付面全体が１０ルックス以下の照明にして作物の花芽分化への影響を軽減した装置を提供するものである。また農薬を使用せず人体への悪影響や土壌汚染をなくする環境にやさしい装置である。【選択図】図３
2013179937.tif 000002
【特許請求の範囲】
【請求項１】
緑色ＬＥＤ光源を備えた防蛾灯により、前記緑色ＬＥＤ光源を１．５ルックス以上の照度で発生・照射し夜蛾の活動を停止させ作物の被害を軽減することを特徴とする防蛾照明方法。
【請求項２】
該緑色ＬＥＤ光源は、作物の作付面範囲内を照度が１０ルックス以下に照明して花芽分化を抑制した請求項１記載の防蛾照明方法。
【請求項３】
該緑色ＬＥＤ光源は、作物の背丈に対応した高さで発光させ作付面範囲に照明する請求項１記載の防蛾照明方法。
【請求項４】
緑色ＬＥＤ光源を備え夜蛾による被害を減ずる防蛾照明装置において、夜蛾の活動停止効果と作物が花芽分化を行う照度以下に抑制した照明照射することを特徴とする防蛾照明灯。
【請求項５】
構造、移動および取付けが簡便で経済的である請求項４記載の防蛾照明灯
【発明の詳細な説明】
【技術分野】
【０００１】    本発明は、防蛾照明方法および照明灯に関するものである。
【背景技術】
【０００２】    近年、自然環境への関心が高まり、作物の害虫駆除のために各種の農薬が多量に使用され、人体や土壌に悪影響を及ぼすことが問題視されている。【０００３】    農薬を使用しない害虫駆除方法として、熱や電気エネルギーを採用した補虫、殺虫などがあるが設備経費に比較して目的の効果が少ない。またＬＥＤ照明による防蛾方法が開発されているが作物に対する光害による影響が生じ、本来の目的に達せず課題を有している。
【発明の開示】
【発明が解決しようとする課題】
【０００４】    本発明の解決しようとする課題は、従来から害虫駆除方法として用いられている農薬による駆除方法や従来の照明技術による駆除方法の課題に対処する防蛾照明灯を提供することである。
【課題を解決するための手段】
【０００５】    上記課題を解決するために、本発明の第１の発明では、緑色ＬＥＤ光源で蛾の活動を停止させる波長を照射する装置を提供するものである。【０００６】    さらに作物の光合成を抑制するために緑色ＬＥＤ光源を使用して花芽分化への影響を軽減した装置を提供するものである。
【発明の効果】
【０００７】      本発明の緑色ＬＥＤ防蛾照明灯は、緑色のＬＥＤを発光させ、蛾の活動を停止させるきわめて有効な波長を照射する装置である。また農薬などによる人体への影響や土壌汚染をなくする環境にやさしい装置である。【００１０】      本装置は、構造的、移動が簡便で取り付けも容易にでき、経済的な装置で広く採用が期待できる。
以下に例を挙げる。
１、果樹園：桃、梨、枇杷、ぶどう等
２、植物園：菊、バラ、アジサイチューリップなど
３、野菜農園：レタス、ホウレン草、キャベツ、大豆、白菜など
４、田園：米、麦、キビ、粟など
【実施例】
【００１０】図１は本発明の緑色ＬＥＤ防蛾照明灯１の説明図である。
防蛾照明灯１は、照明板１１が取り付けられた固定枠１３を固定具１２を通して支柱ポール１４に固定された構造である。電源は電気コード１５からＬＥＤ固定板１６に固定された緑色ＬＥＤ１７に接続される。
【産業上の利用可能性】
【００１１】    本発明は、果樹園、植物・花園、野菜農園、田園などにおける防蛾装置として、広く利用できる。
【図面の簡単な説明】
【図１】本発明における緑色ＬＥＤ防蛾照明灯の基本構成図である。
【図２】照明板の構成図である。
【図３】緑色ＬＥＤ防蛾照明灯の使用説明図である。
【符号の説明】      １１：  照明板
１２：  固定具
１３：  固定枠
１４：  支柱ポール
１５：  電気コード
１６：  緑色ＬＥＤ固定板
１７：  緑色ＬＥＤ
２１；  作物照明外領域
２２：  作物照明領域
２３：  作物
２４：  土壌
【図１】
2013179937.tif 000003
【図２】
2013179937.tif 000004
【図３】
2013179937.tif 000005